(57)【要約】【目的】図柄変動表示装置を始動する始動用入賞口に対する入賞率を容易に調整することを可能にした調整釘の配置を提供する。【構成】図柄変動表示装置（４）の下部に一体に備えるステージ（１１）の放出口（１０）の下方に所要間隔の空間域（２１）を置いて始動用入賞口（２０）を設置し、上記空間域内に前記放出口に臨んで２本の釘（２４ａ，２４ｂ）からなる第１調整釘列（２４）を配置し、また前記始動用入賞口の上方に二等三角形の角部に３本の釘（２５ａ，２５ｂ，２５ｃ）を植設する第２調整釘列（２５）を配置して上下に備え、前記ステージの放出口からのパチンコ球（Ｐ）を最初に前記第１調整釘列において振り分け、次に第２調整釘列によって振り分けて前記始動用入賞口（２０）に誘導する一方、入賞率の調整を第１、第２の調整釘列において行うようにする。【選択図】図２
2007229044.tif 000002
【特許請求の範囲】
【請求項１】
遊技盤に設置される図柄変動表示装置に設けられるステージの放出口の下方に所要間隔の空間域を置いて始動用入賞口を設置する一方、このステージの放出口と始動用入賞口との上記空間域に前記ステージの放出口に臨んで左右２本の釘を並設する第１調整釘列を、また前記始動用入賞口の上部受口に臨ませて３本の釘を二等辺三角形のそれぞれの角部に植設し構成する第２調整釘列を上下位置に配置し、前記ステージの放出口からのパチンコ球を前記第１調整釘列と前記第２調整釘列によってそれぞれ振り分け調整し、前記始動用入賞口に誘導するよう構成してなることを特徴としたパチンコ遊技機。
【請求項２】
請求項１の記載において、前記第１調整釘列は前記ステージの放出口からのパチンコ球を左右２本の釘によって振り分け、該２本の釘の間を通すパチンコ球を前記第２調整釘列の二等辺三角形の頂部の角部に位置する第１の釘に誘導し、該第２調整釘列を通して振り分けると共に上記二等辺三角形の底部の２つの角部に位置する２本の第２の釘の間を通過するパチンコ球を前記始動用入賞口の上部受口に誘導するよう構成してなることを特徴としたパチンコ遊技機。
【請求項３】
請求項１又は２の記載において、第１調整釘列は２本の釘をステージの放出口と始動入賞口の上部受口とを結ぶ垂直な線を挟んで左右対称に、且つ両釘間にパチンコ球の直径を超える間隔をおいて配置し、また第２調整釘列は上部の第１の釘を前記垂直な線上に植設することを特徴としたパチンコ遊技機。
【請求項４】
請求項１又は２の記載において、第１調整釘列はステージの放出口との間に少なくともパチンコ球の直径を超える間隔を保って配置することを特徴としたパチンコ遊技機。
【請求項５】
請求項１乃至４の記載において、ステージの放出口は第１調整釘列の２本の釘の間隔より広い開口幅に形成することを特徴としたパチンコ遊技機。  
【請求項６】
請求項１乃至５の記載において、第１調整釘列と第２調整釘列との中間域にステージの放出口と始動用入賞口の上部受口を結ぶ垂直な線を挟んで左右対称な位置に前記第１調整釘列の２本の釘間隔より広い間隔を保って補助誘導釘を植設配置してなることを特徴としたパチンコ遊技機。  
【請求項７】
請求項６の記載において、補助誘導釘は第１調整釘列の下方に並設される第１誘導釘と、第２調整釘列の第１の釘の左右に対称状に配置される第２誘導釘とからなることを特徴としたパチンコ遊技機。  
【発明の詳細な説明】
【技術分野】
【０００１】
本発明は、遊技機に図柄変動表示装置と、この表示装置を始動する始動用入賞口とを備えてなるパチンコ遊技機に関する。
【背景技術】
【０００２】
遊技盤に備える図柄変動表示装置（「可変表示装置」とも言われる。）は予め特定する入賞口、つまり特定の始動用入賞口にパチンコ球（打球）が飛入したとき、前面に備える表示画面に動画等の画像を表示する。
この図柄変動表示装置は、上記特定の始動用入賞口に打球が飛入し、この飛入球をセンサーが検出して内蔵するコンピュータの遊技制御回路中に組込まれる抽選回路が作動し、大当り状態となる当り抽選と外れ抽選が実行されるとき、更には当り抽選となったとき、この抽選状態を遊技者に視覚的に認識してもらい、遊技の興趣を高めるため設置されるものとなっているが、この図柄変動表示装置を装備するパチンコ遊技機の場合、図柄変動表示装置にステージを一体に備え、受け入れた打球をこのステージにによって振り分けると同時に、このステージから放出される球を装置を始動させる始動用球とすることが多く、実際には上記ステージの放出口の直下に始動用入賞口を設置することが一般的となっている。
【０００３】
言うまでもなく、遊技盤には上記図柄変動表示装置以外にも当り状態に関連する表示器と、この表示器に飛入球の通過信号を送るその他の始動用入賞口とが設置される例が多いが、中でもステージ付き図柄変動表示装置の場合は、大当り状態に絡む表示手段であると同時に、遊技盤の中央部に設置される中心的表示装置でもあることから、その始動用入賞口についても遊技盤の中央の図柄変動表示装置の下方に設置されるのが関連性を明確にする上から都合がよい。
ことに、ステージ付きの場合、打球がステージ上で転がり、振り分けられるのに連動して始動用入賞口への飛入が決定される妙味からこのステージの放出口の直下に設置されることが多くなっている。
【０００４】
この場合、ステージによる振り分けによって始動用入賞口に達する打球は、ある程度選別されるが、ここにおける選別はステージの傾斜等による転がりの相違から発生する偶然性の強い選別であるので、始動用入賞口へ導く打球の誘導率を選択すると言った意識的な操作は極めて困難である。
この打球の誘導率は、始動用入賞口への入賞確率に直接影響するものであり、この入賞率、即ち当り／外れの抽選回数に直結し、ひいてはパチンコ遊技機の賞球の放出球数に影響してパチンコホールにおける経営者の売上げに大きく影響するものとなる。
【０００５】
そこで、従来このステージ付きの図柄変動表示装置においては、ステージから放出される打球を障害釘に受けてその下方に設置する始動用入賞口への飛入を振り分けるに当って、この釘の起立角度を調整して振り分けの配分を調整し、始動用入賞口へ誘導する打球の数を制御する方法を採っている。例えるならば、特許文献１に記載される例がその一例である。そして、従来のパチンコ遊技機の殆んどはこの方法を採用している。
【特許文献１】特開２００１−３８０１０号公報。
【０００６】
上記特許文献１に記載のパチンコ遊技機は、遊技盤１の中央部に大型の図柄変動表示装置２を設置し、この表示装置２の上部に設ける天入賞口１３に遊技球Ｐ（打球）が飛入したとき、これをトンネル形の通路を通してワープさせ、通路下端の開口１４から表示装置２のカラー液晶ディスプレイの下に広く形成するステージ板１１に放出するものとしてある。
そして、ステージ板１１上を転がる球は、球案内樋１７を通してステージ板の前端縁に設ける放出口に誘導し、その直下に設置する始動口４（始動用入賞口）に向け転落させるようにしてあり、この始動口４の上方には左右に２本の障害釘を植設して上記ステージ板１１から落下する球が全て直接的に始動口４に達するのを阻止し、ここで振り分けるようにして入賞しないものがあるようにしている（明細書の段落００１０，００１１及び図面の図１，図２に記載。）。
【０００７】
つまり、特許文献１のパチンコ遊技機は、ステージ板１１を転がって始動口４の直上に達し、これより転落する遊技球Ｐは、左右に並設する２本の釘の間を通過することによって始動口４に達し、入賞のチャンスが与えられるようにしてあり、ここで実質的な振り分けが行われるようにしてあるのである。
この遊技球Ｐの振り分けは、始動口４に対する入賞率を左右するものであり、通常この入賞率は上記２本の釘を左右に、或は上下に傾けることによって調整される。
【０００８】
この入賞率は、パチンコ遊技機の出球率に直接影響し、パチンコホールの売上げに直結することから慎重に操作されるが、要は２本の釘の間隔の調整が基本となるため、ここで正確な結果を出す調整は極めて困難になっている。
従って、一般的にはパチンコホール側における調整として出球率の増大を抑える上から必然的に釘間隔を狭める傾向が高くなり、出入りの均衡した、しかも安定した入賞率調整を行うことが極めて難しい状況になっている。  
【発明の開示】
【発明が解決しようとする課題】
【０００９】
本発明は、上述した事情に鑑み、これを解決すべく開発されたものであり、その目的とするところは単純且つ容易な操作によって図柄変動表示装置を始動する始動用入賞口への打球の誘導を、より正確なものにして入賞率を比較的安定的に調整できるようにしたパチンコ遊技機を提供しようとするものである。
特に本発明は、上記調整を従来と同様に始動用入賞口に向けて配置する障害釘（以下、単に「釘」と言う。）によって実行し、その調整操作もこの釘の起立角度を調整し、傾きを変える操作を通して実行できるものにして従来の釘調整技術をそのまゝ利用し、しかも簡単な操作で正確な調整ができるようにしたパチンコ遊技機を提供しようとするものである。
【課題を解決するための手段】
【００１０】
本発明は、上記目的を達成するため、ステージを備えた図柄変動表示装置と、この表示装置の下方に設備される始動用入賞口との間の空間域に第１の調整釘列と第２の調整釘列を上下に配置し、第１調整釘列で前記ステージから放出されるパチンコ球を振り分け、この内前記始動用入賞口に向う球を前記第２調整釘列に確実に導き、この第２調整釘列において更なる振り分けを実施するようにしたことにある。そして、この第２の振り分けを通して前記始動用入賞口に向うパチンコ球についてのみ入賞の機会を与えるようにして入賞の確率を二段階で調整し、より正確な誘導調整ができるようにしたことにある。
【００１１】
本発明を更に詳述すると、その特徴とするところは遊技盤に設置される図柄変動表示装置に設けられるステージの放出口の下方に所要間隔の空間域を置いて始動用入賞口を設置する一方、このステージの放出口と始動用入賞口との上記空間域に前記ステージの放出口に臨んで左右２本の釘を並設する第１調整釘列を、また前記始動用入賞口の上部受口に臨ませて３本の釘を二等辺三角形のそれぞれの角部に植設し構成する第２調整釘列を上下位置に配置し、前記ステージの放出口からのパチンコ球を前記第１調整釘列と前記第２調整釘列によってそれぞれ振り分け調整し、前記始動用入賞口に誘導するよう構成してなることを特徴としたパチンコ遊技機を提供することにある。
【００１２】
上記本発明において、２本の釘からなる第１調整釘列ではこの２本の釘を左右に傾けて釘の間隔を広狭変化させ、また上下に起立角度を変えることによって球の通過の難易を操作し調整することになる。
そして、この第１調整釘列の２本の釘の間を通して下方の始動入賞口に向う球に対しては第２調整釘列に確実に誘導するようにしてここで第２の振り分けを行うことになる。
【００１３】
上記第２調整釘列は、二等辺三角形の頂部に当る角部に第１の釘を植設し、この釘を前記第１調整釘列の２本の釘の中間位置の直下な置いて前記第１調整釘列を通過した球をこの第１の釘に衝突させて、この第２調整釘列における振り分けに誘導する。
そして、上記第２調整釘列は３本の釘をそれぞれ左右方向、或は上下方向に傾けて各釘間の間隔を広げたり、或は狭めることによって通過の難易を調整し、更には衝突時の反発方向を変化させて振り分けを行い、最終的に下部の左右の２本の釘の間を通過した球を始動入賞口の受口に受け入れ、これを入賞球とするのである。
【００１４】
従って、本発明においては、図柄変動表示装置のステージを通してその放出口から下方の始動入賞口に向う球は、先ず第１調整釘列を通過することになり、これを通過した球はその下方の第２調整釘列に導かれ、第２の振り分けを受けることになる。そして、この振り分けによって下部の第２，第３の釘の間を通過した球のみが始動用入賞口に入賞する機会が与えられるものとなる。
【００１５】
この様な構成からステージを落下した球は実質的に連続する２段の振り分けを受けることになり、この結果最初の第１調整釘列で始動用入賞口に向ける球の選別を最終決定する必要がなくなり、ここでは比較的ラフな選択を行うことができることになる。
従って、これに伴って釘の調整操作が容易になると共に、同じく第２調整釘列においても同様の調整となるため、調整操作が容易になり、また第２の選別となるため正確な振り分けが可能になって始動用入賞口に対する入賞率を的確に調整することができることになる。
【００１６】
このため、本発明は前記第１調整釘列は前記ステージの放出口からのパチンコ球を左右２本の釘によって振り分け、該２本の釘の間を通すパチンコ球を前記第２調整釘列の二等辺三角形の頂部の角部に位置する第１の釘に誘導し、該第２調整釘列を通して振り分けると共に上記二等辺三角形の底部の２つの角部に位置する２本の第２の釘の間を通過するパチンコ球を前記始動用入賞口の上部受口に誘導するようにしたのである。
【００１７】
そして本発明は、前記第１，第２の振り分けを的確に実行するため、前記第１調整釘列は２本の釘をステージの放出口と始動入賞口の上部受口とを結ぶ垂直な線を挟んで左右対称に、且つ両釘間にパチンコ球の直径を超える間隔をおいて配置し、また第２調整釘列は上部の第１の釘を前記垂直な線上に植設することとしたパチンコ遊技機を提供することにある。
【００１８】
また、本発明は、前記第１調整釘列はステージの放出口との間に少なくともパチンコ球の直径を超える間隔を保って配置することを特徴としたパチンコ遊技機を提供することにある。
【００１９】
また本発明は、前記ステージの放出口は第１調整釘列の２本の釘の間隔より広い開口幅に形成することを特徴としたパチンコ遊技機を提供することにある。  
【００２０】
また本発明は、前記第１調整釘列と第２調整釘列との中間域にステージの放出口と始動用入賞口の上部受口を結ぶ垂直な線を挟んで左右対称な位置に前記第１調整釘列の２本の釘間隔より広い間隔を保って補助誘導釘を植設配置してなることを特徴としたパチンコ遊技機を提供することにある。
【００２１】
また本発明は、前記補助誘導釘は第１調整釘列の下方に並設される第１誘導釘と、第２調整釘列の第１の釘の左右に対称状に配置される第２誘導釘とからなることを特徴としたパチンコ遊技機を提供することにある。  
【００２２】
上記補助誘導釘は、第１調整釘列を通して落下する球が第２調整釘列に向けて誘導されるように、またこの第２調整釘列の第１の釘に衝突し弾かれたとき、全ての球がコースを外れて戻らなくなるのを回避するためのもので、実質的にこの誘導釘によっても振り分けが補助され、実行されることになる。
【発明の効果】
【００２３】
上記本発明によれば、図柄変動表示装置のステージから放出され、この図柄変動表示装置を始動する始動用入賞口に向けて落下するパチンコ球は、上記ステージの放出口と始動用入賞口の間に設置される第１，第２の調整釘列を通過することによって順次振り分けられ、最終的に上記始動用入賞口に誘導される球を選別することから、個々の調整釘列に厳格な調整精度を求めることなく予め設定する入賞率に近付けることができることになる。従って、調整作業が容易になると同時に、入賞率を変更調整する場合も、容易に行える利点がある。
【００２４】
ことに、入賞率を変更する調整は、僅かな調整誤差によって極端に結果が変わることがあるため、作業者の経験と感に頼ることが多くなり、高度な技術が求められるものとなっているが、本発明による場合には二段階の調整によって調整精度を分散できることから従来の２本の釘のみによる調整に比較して遥かに容易なものとなり、且つ精度の高い調整が可能となる。
勿論、本発明による調整は従来同様に釘の起立角度の調整によって行われることから作業そのものは一般的技術を有するものにおいて行うことができるもので特段の技術を要することはない。
次に、本発明を図示する実施の形態に従って説明し、その特徴とするところを明らかにする。
【発明を実施するための最良の形態】
【００２５】
図面は、本発明の一実施例を示したものである。図１は本発明に係るパチンコ遊技機に装着される遊技盤の正面図であり、図２は図１の遊技盤の部分を拡大した要部を説明する正面図である。
ここに示す遊技盤１は、図示しないパチンコ遊技機から取り外した状態を示しており、この遊技盤１には通常の遊技盤と同様に、前面の周縁に沿って円形状にバンド２を配置して遊技部３を形成し、この遊技部の中央部に図柄変動表示装置４を設置している。
【００２６】
上記図柄変動表示装置４は、円形の外枠５の内側にカラー液晶の表示画面６を備え、上部には左右に対立して閉塞時には図示するように起立し、開放時には左右に開いた状態となる開閉翼片７，７を有する大入賞口８を備える。
そして、この表示装置４の下部には前縁部を飾り枠９で囲み、この飾り枠の中央部を切り欠いて放出口１０を設けるステージ１１を備え、その左右両側部に遊技盤面を落下するパチンコ球Ｐを受けるワープ入口１２，１２を開設し、その出口１３，１３をステージ１１に向けて開放するようにしてある。
【００２７】
一方、前記遊技盤１にはそれぞれの目的を持って多数の障害釘１４を植設すると共に、一般入賞口１５，１６、そして風車１７を略左右対称形に備え、更に図柄始動入賞口１８、普通図柄始動通過口１９を左右に設け、これらを左右に置くようにして前記図柄変動表示装置４の下部のステージ１１の直下にこの図柄変動表示装置４を始動する始動用入賞口２０を配置している。
【００２８】
始動用入賞口２０は、前記ステージ１１の放出口１０の下方に後述する空間域２１を設置する間隔を置いて設置してあり、上部に設ける受口２２が前記放出口１０の直下に位置する。
この実施例における始動用入賞口２０は、上記受口２２の他に左右に開閉動する翼片２３，２３を有する受口（図示せず）を備え、前記普通図柄始動通過口１９に打球Ｐが飛入し、抽選の結果当りとなったとき所定の時間この翼片を開閉動して側方からこの受口を通しての打球の受け入れが可能になっている。
【００２９】
図中、２４は前記空間域２１の上部に設置した第１調整釘列であり、２５は同じく空間域２１の下部に設置した第２調整釘列である。
第１調整釘列２４は、左右並列する２本の釘２４ｂ，２４ｂから構成され、２本の釘の間にはパチンコ球を通過させることのできる間隔、更に言えば球の直径を超える間隔が設けてある。
この２本の釘２４ａ，２４ｂは両者の中間点が前記放出口１０の中央部から垂下する垂線上に位置するようにしてあり、放出口１０の中央部分から落下した球が最も釘間を通過し易くしてある。そして、ここでは図示するように２本の釘２４ａ，２４ｂとステージ１１の放出口１０との間にパチンコ球の球径を超える間隔を設け、この２本の釘の上方を自由に球が横移動できるようにしてある。
【００３０】
前記第２調整釘列２５は、３本の釘２５ａ，２５ｂ，２５ｃを二等辺三角形の角部に配置する状態に植設して構成してある。３本の釘相互の間にはパチンコ球の直径を超える間隔が設けてあり、ここでは仮想する二等辺三角形の頂部に当る角部に第１の釘２５ａを前記放出口１０からの垂線上に位置させ、下方の第２の釘２５ｂと第３の釘２５ｃをこの垂線を挟む左右に対称となるよう配置してある。
【００３１】
上記第１調整釘列２４は、ステージ１１の放出口１０を通して落下するパチンコ球Ｐに対する第１段階の振り分けを行うもので、２本の釘２４ａ，２４ｂの間を通した球が次の第２調整釘列２５に導かれることになる。
第２調整釘列２５は第２段目の振り分けを行うもので、第１調整釘列２４を通した球Ｐは上部の第１の釘２５ａに落下し、この落下を通して下方の第２，第３の釘２５ｂ，２５ｃに誘導され、この中でこの２本の釘の間を通した球Ｐが始動用入賞口２０の受口２２に入賞することになる。
【００３２】
図中、２６ａ，２６ｂと２７ａ，２７ｂは補助誘導釘である。これらの釘は前記第１，第２の調整釘列２４，２５によって振り分けられた球が所定の方向に進行するように案内するものであり、第１調整釘列２４に付随して植設される上部の第１誘導釘２６ａ，２６ｂは釘２４ａ，２４ｂの間隔より広い間隔を置いてその下方に配置し、この２本の釘２４ａ，２４ｂを通した球が外に向けて外れないようにしている。そして、ここでは同時にこの２本の釘の間を通さない球が外から容易に飛び込むのを防いでいる。
【００３３】
一方、下部の第２誘導釘２７ａ，２７ｂは第２調整釘列２５に衝突した球が再び釘列に戻るように仕向け、更には外からこの調整釘列２５に向けて障害釘１４を渡って進行する球を誘導するもので、第１の釘２５ａの両側に球の通過を許す間隔を置いて左右対称に配置してある。
勿論、この２本の釘２７ａ，２７ｂは前記上部の２６ａ，２６ｂとの間にも球を通す間隔を設けてあり、外から第２調整釘列２５に向けて飛び込む球を受け入れられるようにしてある。
【００３４】
上記構成される本発明パチンコ遊技機は、図示しない発射装置によって打ち出された球Ｐをバンド２に沿って誘導し、遊技部３の上部に侵入させる。そして、障害釘１４の間を通して盤面に沿って落下させ、或るものは一般入賞口１５，１６に、また或るものは図柄始動入賞口１８に入賞することによって賞球の放出を促し、また普通図柄始動通過口１９を通過することによって抽選の結果、前記始動用入賞口２２の翼片２３，２３を開閉動することになる。
この中で、図柄変動表示装置４の側方に沿って落下し、その側面に開口するワープ入口１２に飛入した球は、ワープ通路を通して出口１３からステージ１１上に放出され、このステージの傾斜に従って転がり、徐々に放出口１０に向ってこれより再び遊技盤面に放出されることになる。
【００３５】
ここで前記第１調整釘列２４は上記放出される球Ｐを待ち受け、左右の釘２４ａ，２４ｂによってこの球を振り分け、釘２４ａ，２４ｂ間を通過した球を第２調整釘列２５に誘導することになる。この通過した球は、第２調整釘列の第１の２５ａに衝突することになり、左右の補助誘導釘２７ａ，２７ｂとの衝突によって戻された球のうち第１の釘２５ａと下方の左右の第２，第３の釘２５ｂ，２５ｃとの間を通過し、更にはこの左右に並ぶ第２，第３の釘２５ｂ，２５ｃの間を通過した球が、前述したように受口２２に達して始動用入賞口２０の入賞球となるのである。
【００３６】
上記始動用入賞口２０に打球が入賞することによって内蔵する図示しない遊技制御回路が起動し、予め設定する当り／外れの抽選が行われる。そして、同時に図柄変動表示装置４の画面６にこの抽選に対応させた所定の画像が表示され、遊技者に抽選が行われたことと、その結果が報知されることになる。
【００３７】
この様にステージ１１を通過した球は、放出口１０を通して優先的に当り抽選に絡む始動用入賞口２０に向うように設定されるが、本発明においては、前述の通りこの放出口１０と始動用入賞口２０との間に第１，第２の調整釘列２４，２５を配置して二段に亘って振り分け、始動用入賞口２０への誘導を制御し、その入賞率を調整することになっているのである。
【００３８】
図３乃至図６は、前記始動用入賞口２０に対する入賞率を調整する場合の具体例を示したものである。
図３は、最も入賞し易い状態に設定する一例を示したものである。図中に矢符表示するように、第１調整釘列２４の左右の釘２４ａ，２４ｂを外に向けて押し開き、これを傾けて両者間の間隔を広げると同時に、第２調整釘列２５の第１の釘２５ａを上に押し上げ、下部の２本の釘２５ｂ，２５ｃを左右に開いて間隔を拡張している。
従って、放出口１０から転が出た球は、容易に第１調整釘列２４を通過し、更に間隔を開いた釘２５ａ，２５ｂ，２５ｃの間を通して第２調整釘列２５を通過し、始動用入賞口２０の受口２２に達することになる。
【００３９】
図４は、上記第１調整釘列２４を開いた状態にして球の通過を容易にする一方、第２調整釘列２５の３本の釘２５ａ，２５ｂ，２５ｃを元の姿勢に戻し、球の通過を普通状態にした例で、図３の例に比較して入賞率が落ちることになる。
【００４０】
図５は、更に入賞率を落した例であり、前記第１調整釘列２４の２本の釘２４ａ，２４ｂの間隔を狭めて第２調整釘列２５への誘導を抑え、入賞条件を更に悪くした場合である。
【００４１】
そして、図６は最も入賞率を下げるように設定した場合の一例を示したものである。ここでは定位置に植設されている第１調整釘列２４の２本の釘２４ａ，２４ｂを内側に寄せて間隔を狭め、放出口１０から落下する球の通過条件を厳しくすると同時に、第２調整釘列２５の第１の釘２５ａを下向きに角度を変え反発を抑えると共に、更に左右の釘２５ｂ，２５ｃを内側に傾けて締め、球の通過を困難にした例である。
上記第２調整釘列２５の間隔を締めることで、ステージ１１を通さずに左右方向から障害釘１４に誘導されて直接接近する打球もここでは入賞を阻止される率が高くなり、入賞率は極端に落されることになる。
【００４２】
言うまでも無く、上記図面に示す釘の調整例は例示であり、各釘の角度の調整、その傾斜方向の調整等は自由であり、作業者に委ねられることになる。勿論、この調整作業においては、対向して植設される２本の釘、例えば第１調整釘列２４の２本の釘２４ａ，２４ｂを別々に調整することも、又いずれか１本を調整することもあり、極めて広い調整選択が可能になっている。
【００４３】
以上説明の様に本発明パチンコ遊技機によれば、図柄変動表示装置４のステージ１１の放出口１０と、この放出口１０の下方に設置される図柄変動表示装置４を始動する始動用入賞口２０との間に、上下に第１調整釘列２４と第２調整釘列２５を前述した関係の下に配置し、放出口１０から始動用入賞口２０に向うパチンコ球Ｐを二段階で振り分け調整することを可能にしたことから、最終的に始動用入賞口２０に向う球の絞込み、つまり入賞球となる球の選別が容易となり、その結果入賞率の設定が容易になったのである。
【００４４】
特に、左右に２本の釘２４ａ，２４ｂを配置する第１調整釘列２４は、左右に釘間隔を変化させることで、第２調整釘列２５に向う球の通過割合を確実、且つ容易に調整することができ、またこの第１調整釘列２４を通過した球を受ける第２調整釘列２５は中央上部の第１の釘２５ａが受けて球の衝突具合を調節し、下方の２本の釘２５ｂ，２５ｃへの誘導を制御すると同時に、各釘間の間隔調整によって通過率を制御できることから安定した入賞率調整が可能になっている。
【００４５】
しかも、この調整は各調整釘列を構成する多数本の釘の内から選択し、個別に調整することができることから、微調整が可能であり、正確な振り分けによって極端に入賞率が上ったり、また下がったりするのを回避できることになる。
また、この様に釘を徐々に変化させて調整することができるため、高度な熟練を要することなく調整作業ができる利点がある。
【００４６】
尚、本発明における上記第１調整釘列２４と第２調整釘列２５の設定は、図柄変動表示装置４を始動する始動用入賞口２０に対する打球の振り分け手段として利用する場合について説明しているが、その他の入賞口、例えば一般入賞口１５や普通図柄始動入賞口１８等の入賞口に対する振り分け手段としても利用することができることは言うまでもない。
【図面の簡単な説明】
【００４７】
【図１】本発明に係るパチンコ遊技機の実施状態を説明する遊技盤の正面図。
【図２】図１に示す遊技盤の部分拡大図。
【図３】第１調整釘列と第２調整釘列のそれぞれの釘間隔を開いて球の通過割合を高めた状態の調整例を示す説明図。
【図４】第１調整釘列を開き、第２調整釘列を閉じた状態を示す説明図。
【図５】第１調整釘列を閉じ、第２調整釘列を開いた状態を示す説明図。
【図６】第１調整釘列及び第２調整釘列を共に閉じた状態を示す説明図である。
【符号の説明】
【００４８】
１                遊技盤
４                図柄変動表示装置
６                画面
８                大入賞口
１０              ステージの放出口
１１              ステージ
１２              ワーフの入口
１３              ワーフの出口
１５，１６        普通入賞口
１８              普通図柄始動入賞口
１９              普通図柄始動通過口
２０              始動用入賞口
２１              ステージの放出口と始動用入賞口との間に形成される空間域
２２              始動用入賞口の上部受口
２４              第１調整釘列
２４ａ，２４ｂ    第１調整釘列の左右の釘
２５              第２調整釘列
２５ａ            第２調整釘列の第１の釘
２５ｂ，２５ｃ    第２調整釘列の第２，第３の釘
２６ａ，２６ｂ    補助誘導釘
２７ａ，２７ｂ    補助誘導釘
【図１】
2007229044.tif 000003
【図２】
2007229044.tif 000004
【図３】
2007229044.tif 000005
【図４】
2007229044.tif 000006
【図５】
2007229044.tif 000007
【図６】
2007229044.tif 000008